(57)【要約】【課題】浴室内の空間を有効利用してシャワー浴が可能となるシャワー装置を備えた浴室を提供する。【解決手段】浴室１のコーナ部分２にシャワー装置３を配置して成ることを特徴とする。【選択図】図１
2013106825.tif 000002
【特許請求の範囲】
【請求項１】
浴室のコーナ部分にシャワー装置を配置して成ることを特徴とするシャワー装置を備えた浴室。
【請求項２】
前記コーナ部分に配置した前記シャワー装置によるシャワー噴出方向が、平面視において前記コーナ部分を介して隣合う隣接する両壁に対していずれも平面視で傾斜方向となっていることを特徴とする請求項１記載のシャワー装置を備えた浴室。
【請求項３】
一方の壁に沿って配置したカウンターの端部を他方の壁まで至らせて前記カウンターの端部を座部とし、この座部の前端を平面視で前記両壁に対して傾斜する傾斜縁部とすることを特徴とする請求項１又は請求項２記載のシャワー装置を備えた浴室。
【発明の詳細な説明】
【技術分野】
【０００１】
本発明は、シャワー装置を備えた浴室に関するものである。
【背景技術】
【０００２】
従来から、浴室にシャワー装置を配置することが特許文献１や特許文献２等により知られている。
【先行技術文献】
【特許文献】
【０００３】
【特許文献１】特開２００７−６８５８８号公報
【特許文献２】特開２００８−５９１８号公報
【発明の概要】
【発明が解決しようとする課題】
【０００４】
しかしながら、上記特許文献１や特許文献２に示される従来例は、浴室の洗い場に面した壁の前面にシャワー装置が洗い場に突出するように配置される。
【０００５】
このように、洗い場に面した壁の前面にシャワー装置が洗い場に突出するように配置されると、シャワー装置が入浴者に圧迫感を与え、また、洗い場の実質的に利用できる空間が狭くなるという問題がある。
【０００６】
本発明は上記の従来例の問題点に鑑みて発明したもので、浴室内の空間を有効利用してシャワー浴が可能となるシャワー装置を備えた浴室を提供するにある。
【課題を解決するための手段】
【０００７】
本発明のシャワー装置を備えた浴室は、浴室のコーナ部分にシャワー装置を配置して成ることを特徴とする。
【０００８】
また、前記コーナ部分に配置した前記シャワー装置によるシャワー噴出方向が、平面視において前記コーナ部分を介して隣合う隣接する両壁に対していずれも平面視で傾斜方向となっていることを特徴とすることが好ましい。
【０００９】
また、一方の壁に沿って配置したカウンターの端部を他方の壁まで至らせて前記カウンターの端部を座部とし、この座部の前端を平面視で前記両壁に対して傾斜する傾斜縁部とすることを特徴とすることが好ましい。
【発明の効果】
【００１０】
本発明は、浴室内の空間を有効利用してシャワー浴が可能となる。
【図面の簡単な説明】
【００１１】
【図１】本発明の一実施形態の平面図である。
【図２】同上の正面図である。
【図３】同上の側面図である。
【図４】本発明の他の実施形態の平面図である。
【図５】同上の正面図である。
【図６】同上の側面図である。
【図７】本発明の更に他の実施形態の平面図である。
【図８】同上の正面図である。
【発明を実施するための形態】
【００１２】
以下、本発明を添付図面に示す実施形態に基づいて説明する。
【００１３】
図１〜図３には一実施形態が示されている。
【００１４】
浴室１は通常平面視長方形状又は正方形状をしていて４面の壁４で囲まれており、隣接する壁４同士のなすコーナ部分２が４つ存在する。この浴室１の４つのコーナ部分２のうち、浴槽８から離れた２つのコーナ部分２のいずれか一方のコーナ部分２にシャワー装置３が配置される。
【００１５】
コーナ部分２は浴室１内におけるデッドスペースであるから、シャワー装置３をこのデッドスペースに配置することで、浴室１内の空間を有効に利用できる。
【００１６】
図１〜図３の実施形態には、コーナ部分２に配置されるシャワー装置３を、背部用シャワー装置１０と、前部用シャワー装置１１とで構成した例が示されている。
【００１７】
背部用シャワー装置１０は、上下に長い縦長の棒状体１２により構成され、コーナ部分２の最内隅部に上下に配置されている。
【００１８】
棒状体１２の前面には上下方向に複数のシャワーノズル１３が設けられ、この複数のシャワーノズル１３は棒状体１２内に内装された配管（図示せず）に連通接続されている。
【００１９】
棒状体１２の前面は、図１に示すようにコーナ部分２の両側の直角に隣接する壁４の前面に対していずれも平面視で傾斜する（実施形態では略４５°傾斜する）傾斜前面１４となっている。
【００２０】
この傾斜前面１４は表面が垂直面又は略垂直面であってもよいが、水平断面弧状をした曲面であってもよい。
【００２１】
このように棒状体１２の前面を傾斜前面１４とすることで、浴室１内への突出長が小さくなり、圧迫感がなく、また、邪魔にならない。
【００２２】
傾斜前面１４に上下に複数設けられたシャワーノズル１３からのシャワー噴出方向は、平面視においてコーナ部分２を介して隣合う隣接する両壁４に対していずれも平面視で傾斜方向となっている。実施形態では隣接する壁４の前面に対していずれも平面視で４５°傾斜する方向となっている。
【００２３】
前部用シャワー装置１１は、回動アーム１５により構成されている。図１〜図３の実施形態において１乃至複数個の回動アーム１５は、後端部の縦軸部１６を回動中心して回動可能となっている。
【００２４】
図１〜図３の実施形態では壁４に回動アーム１５の一部または全部を収納するための収納凹所１８が設けられている。
【００２５】
回動アーム１５は非使用時は収納凹所１８に収納され、使用時は浴室１内に突出するように回動して使用される。
【００２６】
この回動アーム１５の収納凹所１８の溝奥と対向する側の側面には、長手方向に複数のシャワーノズル１７が設けられる。
【００２７】
コーナ部分２を介して隣合う隣接する両壁４のうち、一方の壁４に沿ってカウンター５が配設されている。
【００２８】
このカウンター５の端部は他方の壁４まで至らせてあって、このカウンター５の他方の壁４側の端部が入浴者が座ることができる座部６となっている。
【００２９】
この座部６の前端は、平面視でコーナ部分２を介して隣合う両壁４に対して傾斜する傾斜縁部７としている。
【００３０】
添付図面に示す実施形態では、傾斜縁部７は平面視で両壁４に対してそれぞれほぼ４５°の傾斜となっている。
【００３１】
座部６に入浴者が座ると、座部６の前端が傾斜縁部７となっているので、コーナ部分２の最内隅部を背にして傾斜縁部７に対してほぼ直角方向を向くように座ることになる。
【００３２】
したがって、例えば、前記のように傾斜縁部７が平面視で両壁４に対してそれぞれほぼ４５°の傾斜の場合、入浴者は、コーナ部分２の最内隅部を背にして平面視で両壁４に対してそれぞれほぼ４５°の傾斜した方向を向いて座ることになる。
【００３３】
もちろん、傾斜縁部７が一方の壁４に対して平面視で４５°を超える角度で傾斜し、他方の壁４に対して平面視で４５°未満の角度で傾斜するものであってもよい。
【００３４】
いずれにせよ、傾斜縁部７が両壁４に対してそれぞれ平面視で傾斜する構成とすることで、座った場合に両壁４からの圧迫感がない。
【００３５】
入浴者がシャワーを利用するには、カウンター５の端部に形成される座部６にコーナ部分２の最内隅部を背にして座り、背部用シャワー装置１０、前部用シャワー装置１１のいずれか一方又は両方を併用してシャワー浴を行う。
【００３６】
背部用シャワー装置１０は、座部６に座った入浴者の背中に向けてシャワーを噴出する。
【００３７】
また、前部用シャワー装置１１を使用するには、回動アーム１５を回動し、シャワーノズル１７が座部６に座った入浴者の前面を向くように位置させた状態で入浴者の前面にシャワーを噴出する。
【００３８】
前部用シャワー装置１１は使用が終わると回動して壁４に設けられた収納凹所１８に収納し、邪魔にならないようにする。
【００３９】
カウンター５又はカウンター５近傍にはカラン５０が設けられ、更にカウンター５の上方には壁４に鏡５１が設けられる。
【００４０】
実施形態では背部用シャワー装置１０、前部用シャワー装置１１にはカラン５０を介して給湯管５５が接続されている。
【００４１】
洗い場９で身体を洗う場合、カウンター５上に洗面器５２やその他の浴室で使用する小物類が載置されるが、本実施形態では、シャワー装置３を使用しない場合、カウンター５の端部の座部６にもこれらの洗面器５２や小物類を載置することが可能となる。
【００４２】
図４〜図６には他の実施形態が示されている。
【００４３】
前記実施形態は、コーナ部分２に座部６が設けられた例を示したが、本実施形態はコーナ部分２に座部６を設けない例が示されている。
【００４４】
つまり、本実施形態は、入浴者は、コーナ部分２の最内隅部を背にしてコーナ部分２に立ち、背部用シャワー装置１０、前部用シャワー装置１１のいずれか一方又は両方を併用してシャワー浴を行う。
【００４５】
また、前述の各実施形態では、コーナ部分２に配置されるシャワー装置３が、背部用シャワー装置１０と、前部用シャワー装置１１とで構成された例を示しているが、コーナ部分２に配置されるシャワー装置３が、背部用シャワー装置１０、前部用シャワー装置１１のいずれか一方で構成されてもよい。図７、図８にはコーナ部分２に配置されるシャワー装置３を、背部用シャワー装置１０で構成した例を示されている。また、図示を省略しているが、コーナ部分２に配置されるシャワー装置３が前部用シャワー装置１１で構成されてもよい。
【符号の説明】
【００４６】
１  浴室
２  コーナ部分
３  シャワー装置
４  壁
５  カウンター
６  座部
７  傾斜縁部
【図１】
2013106825.tif 000003
【図２】
2013106825.tif 000004
【図３】
2013106825.tif 000005
【図４】
2013106825.tif 000006
【図５】
2013106825.tif 000007
【図６】
2013106825.tif 000008
【図７】
2013106825.tif 000009
【図８】
2013106825.tif 000010